(57)【要約】【課題】一方的な情報の伝達に用いるほか、ミーティングのように相互の情報のやり取りにも用いることができ、しかも非使用時においても別の機能を発揮し得るテーブル兼用書き込み用ボード装置を提供する。【解決手段】ホワイトボードとして使用する場合には、垂直姿勢としたボード３の表面３ａに書き込みを行って、看者に対し説明等を行う。ボード３を水平姿勢とした状態では、テーブル兼用書き込み用ボード装置１をテーブルとして使用する。この場合に例えばミーティングを行いながらボード３の表面に書き込みを行うことができる。従って、書き込み用の用紙を準備する必要がなく、また紙よりも大きなスペースに書き込みができ便利である。更にボード装置１はパーティションとしても使用可能である。【選択図】        図３
2008093069.tif 000002
【特許請求の範囲】
【請求項１】
フェルトペン等で書き込みが可能で且つ書き込みを拭き取って消去できる書き込み面を備えたボードと、前記ボードをほぼ垂直に立つ垂直姿勢と前記書き込み面が上面となる水平姿勢とに切り替え可能に支持するボード支持手段とから成ることを特徴とするテーブル兼用書き込み用ボード装置。
【請求項２】
請求項１に記載した書き込み用ボード装置において、ボードを垂直姿勢にした状態で、ボードを固定するロック手段を具備したことを特徴とする兼用書き込み用ボード装置。
【請求項３】
請求項１または２に記載した書き込み用ボード装置において、ボードに対し着脱可能で、ボードに取り付けると前記ボード支持手段の一部を覆うカバーを備えたことを特徴とするテーブル兼用書き込み用ボード装置。
【発明の詳細な説明】
【技術分野】
【０００１】
本発明はテーブル兼用書き込み用ボード装置に関するものである。
【背景技術】
【０００２】
書き込み用ボードとしては、ホワイトボードと呼ばれるものが一般に広く使用されている。このホワイトボードは、ボードとこれをほぼ垂直に立つ姿勢で固定状態に支持する支持台とを備えており、ボードの書き込み面はフェルトペン等で書き込みが可能で且つ書き込みを拭き取って消去できるようになっている。
【発明の開示】
【発明が解決しようとする課題】
【０００３】
しかしながら、従来のホワイトボードでは、ボードが支持台に垂直に立つ姿勢で固定状態に支持されている。このため、その用途はホワイトボードに書き込みをして、それを見る者に説明を行うという用途にしか使用できない。
さらに、ボードが支持台に垂直に立つ姿勢で固定状態に支持されていることから、非使用時には単にスペースを取っているだけのものになってしまう。
本発明は上記従来の問題点に着目して為されたものであり、ホワイトボードとして用いるほか、書き込み可能なテーブルとしても使用でき、しかもパーティションしても使用できるテーブル兼用書き込み用ボード装置を提供することを、その目的とする。
【課題を解決するための手段】
【０００４】
本発明は上記課題を解決するためになされたものであり、請求項１の発明は、フェルトペン等で書き込みが可能で且つ書き込みを拭き取って消去できる書き込み面を備えたボードと、前記ボードをほぼ垂直に立つ垂直姿勢と前記書き込み面が上面となる水平姿勢とに切り替え可能に支持するボード支持手段とから成ることを特徴とするテーブル兼用書き込み用ボード装置である。
【０００５】
請求項２の発明は、請求項１に記載した書き込み用ボード装置において、ボードを垂直姿勢にした状態で、ボードを固定するロック手段を具備したことを特徴とする兼用書き込み用ボード装置である。
【０００６】
請求項３の発明は、請求項１または２に記載した書き込み用ボード装置において、ボードに対し着脱可能で、ボードに取り付けると前記ボード支持手段の一部を覆うカバーを備えたことを特徴とするテーブル兼用書き込み用ボード装置である。
【発明の効果】
【０００７】
本発明のテーブル兼用書き込み用ボード装置では、ホワイトボード、書き込み可能なテーブル及びパーティションの３つの用途で使用することができ、極めて便利であり、しかも経済的である。
【発明を実施するための最良の形態】
【０００８】
本発明の実施の形態に係るテーブル兼用書き込み用ボード装置１を図面にしたがって説明する。
符号３はボードを示し、このボード３の表面３ａはフェルトペン等で書き込みが可能で且つ書き込みを拭き取って消去できる書き込み面となっている。また、ボード３は多層構造となっており、表面３ａの下側の層には薄い鉄板層が設けられており、マグネットが吸着するようになっている。
【０００９】
ボード３は鋼材製の支持手段によって支持されている。支持手段の構成について説明する。支持手段は左右方向の中心を境にして対称構造となっている。
符号７は一対の脚部を示し、脚部７は角パイプをＴ字形になるように連結して形成されている。即ち、水平方向に延びる水平部７ａと、この水平部７ａの上面中央に連結され垂直方向へ延びる垂直部７ｂとによって構成されている。水平部７ａの下面には一対のキャスタ９がそれぞれ取り付けられている。キャスタ９は走行可能な状態と車輪をロックして走行不可能な状態とに切り替え可能なタイプである。また、垂直部７ｂどうしは水平に配された連結部材１０を介して連結されている。
【００１０】
符号１１は一対の脚部を示し、この一対の脚部１１は角パイプによって構成され、その下端部には設置部材１３が取り付けられている。一対の脚部１１は水平に配された連結部材１４を介して連結されている。一対の脚部７の垂直部７ｂの途中部分と、一対の脚部１１の途中部分には、揺動部材１５が揺動自在に連結されている。即ち、揺動部材１５の一端部は脚部７の垂直部材７ｂに対し支持軸１６を支点として揺動自在に連結され、その他端部は脚部１１に対し支持軸１９を支点として揺動自在に連結されている。
【００１１】
符号１７は側面視「Ｌ字形」の取付片を示し、ボード３の裏面３ｂには４つの取付片１７が固定されている。
一対の脚部７の垂直部７ｂの上端部は、ボード３の垂直姿勢における下側の２つの取付片１７に対し支持軸２０を支点として揺動自在に取り付けられている。また、一対の脚部１１の上端部は上側の２つの取付片１７に対し支持軸２１を支点として揺動自在に取り付けられている。
【００１２】
一方側の脚部７の垂直部７ｂ、揺動部材１５及び脚部１１には孔２３、２４、２５がそれぞれ形成され、これらの孔２３、２４、２５は同じ直径で、後述するボード３がほぼ垂直に立つ垂直姿勢において同軸上に並ぶ位置に備えられている。符号２６は２３、２４、２５に挿通されるロックピンを示し、このロックピン２６は脚部７にチェーン２８を介して連結されている。これら孔２３、２４、２５とロックピン２６とによってロック手段が構成されている。
また、ボード３の裏面３ｂにはロック孔３０を有するロックプレート３２がその基端部に設けられた支持軸を支点として回動自在に取り付けられている。また、ロックプレート３２は後記のロックピン３１の軸方向にも揺動自在に取り付けられている。一対の脚部１１の側面の上端部には、ロックピン３１が設けられている。
【００１３】
このテーブル兼用書き込み用ボード装置１の使用方法について説明する。
テーブル兼用書き込み用ボード装置１をホワイトボードとして使用する場合には、図１に示すようにボード３がほぼ垂直に立つ垂直姿勢で使用する。即ち、ボード３がほぼ垂直に立ち、脚部１１が床から離間してボード３の裏面３ｂに対し平行状態で当接する姿勢とする。この垂直姿勢においては、ロックピン２６を孔２３、２４、２５に差し込み、ボード３が不用意に回動しないように固定する。
【００１４】
上記のように垂直姿勢としたボード３の表面３ａに書き込みを行って、看者に対し説明等を行う。また、ボード３にマグネットを利用してペン皿３３を取り付けることが可能であり、更にマグネット３５によって書類３７を貼ることも可能である。
【００１５】
テーブル兼用書き込み用ボード装置１をテーブルとして使用する場合には、図３に示すように書き込み面が上面となる水平姿勢とする。即ち、ロックピン２６を孔２３、２４、２５から外して、図１、２に示した垂直姿勢から、ボード３を押し、図２において反時計回りの方向へ回動させると、これに伴い一対の脚部１１が支持軸１９を支点として時計回りの方向へ回動する。この際、脚部１１に対し支持軸１６によって回動自在に連結された揺動部材１５は支持軸１９を支点として反時計回りの方向へ回動する。そして、脚部１１の設置部材１３が床に設置したところで、ボード３が水平姿勢となる。
【００１６】
図３に示すようにボード３が水平姿勢となったところで、ロックプレート３２を回動させて、その先端部をロックピン３１の近傍まで移動させて、更にロックプレート３２をロックピン３１の先端方向へ引く。そして、ロック孔３０をロックピン３１の先端部に対向させてから、ロックプレート３２の先端部をロックピン３１に向かって移動させて、ロック孔３０をロックピン３１に嵌めて、ボード３が不用意に回動しないように固定する。
【００１７】
上記のようにボード３を水平姿勢とした状態では、テーブル兼用書き込み用ボード装置１をテーブルとして使用する。この場合に例えばミーティングを行いながらボード３の表面に書き込みを行うことができる。従って、書き込み用の用紙を準備する必要がなく、また紙よりも大きなスペースに書き込みができて便利である。
【００１８】
ボード３を水平姿勢とした状態からボード３を垂直姿勢とするには、ロックプレート３２の先端部をロックピン３１の先端側へ移動させて、ロック孔３０をロックピン３１から外す。そして、ボード３を図２において時計周りの方向へ回動させるように持ち上げて、ボード３を支持軸１６を支点として時計周りの方向へ回動させる。これに伴い脚部１１は反時計周りの方向へ回動し、前述のようにボード３の裏面３ｂに平行状態で当接する。
【００１９】
また、図４に示すようにテーブル兼用書き込み用ボード装置１をパーティションとして使用してもよい。この場合において図５に示すボード３の裏面３ａを覆うカバー３９を備えれば、意匠的にも優れたものとなる。このカバー３９はボード３と形状とサイズがほぼ等しい本体部４１と、この本体４１の上端に設けられたフックとによって構成されている。そして、フック４２をボード３の上端部に係止して、カバー３９をボード３に装着する。カバー３９をボード３に取り付けると脚部７、１１等からなる支持手段の一部を覆う状態となる。なお、カバー３９に模様等の装飾を施すようにしてもよい。
【００２０】
このようにテーブル兼用書き込み用ボード装置１はボード３を垂直姿勢にしてパーティションとしても使用できるので、テーブルとしてはそれほど頻繁に使用しない場合であっても、単なるテーブルと異なりスペースを取るだけではなく、収納時においても有効に活用することが可能である。
テーブル兼用書き込み用ボード装置１では、ホワイトボード、書き込み可能なテーブル及びパーティションの３つの用途で使用することができ、極めて便利である。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態ではカバー３９をボード３に取り付けるのにフック４２を設けたが、本発明はこれに限定されず、マグネット等を用いた機構によってカバー３９をボード３に取り付けてもよい。
【産業上の利用可能性】
【００２２】
テーブル兼用書き込み用ボード装置１はホワイトボード、テーブル及びパーティションの３つ用途で活用することができ、事務機器と家具の両産業分野において利用することができる。
【図面の簡単な説明】
【００２３】
【図１】本発明の実施の形態に係るテーブル兼用書き込み用ボード装置をホワイトボードとして使用する状態の斜視図である。
【図２】図１のテーブル兼用書き込み用ボード装置の裏面側から見た部分斜視図である。
【図３】図１のテーブル兼用書き込み用ボード装置をテーブルとして使用する状態の斜視図である。
【図４】図１のテーブル兼用書き込み用ボード装置をパーティションとして使用する状態の斜視図である。
【図５】図１のテーブル兼用書き込み用ボード装置をパーティションとして使用する場合に使用するカバーと、当該カバーを装着したテーブル兼用書き込み用ボード装置の斜視図である。
【符号の説明】
【００２４】
１  テーブル兼用書き込み用ボード装置      ３  ボード
３ａ  ボードの表面      ３ｂ  ボードの裏面
３９  カバー      ２３、２４、２５  ロック孔
２６  ロックピン
【図１】
2008093069.tif 000003
【図２】
2008093069.tif 000004
【図３】
2008093069.tif 000005
【図４】
2008093069.tif 000006
【図５】
2008093069.tif 000007